(57)【要約】【課題】外付筐体１０１を携帯電話１５０に装着したときの安定性を向上させる携帯電話用外付ユニットを提供する。【解決手段】レンズ１５１を備える携帯電話１５０に装着可能な携帯電話用外付ユニットであって、前記レンズへの光を通過する開口が設けられた外付筐体１０１と、前記レンズの周囲に取付可能な凸部材１２２と、前記外付筐体１０１と前記携帯電話１５０との間に設けられる粘着シートとを備え、前記外付筐体１０１には、前記凸部材１２２と嵌め合わされる第１凹部１０８が設けられ、前記粘着シートは、前記凸部材１２２と前記第１凹部１０８とが嵌め合わされた場合に、前記外付筐体１０１と前記携帯電話１５０とを固着する。【選択図】図５
2010161545.tif 000002
【特許請求の範囲】
【請求項１】
レンズを備える携帯電話に装着可能な携帯電話用外付ユニットであって、
前記レンズへの光を通過する外付筐体と、
前記レンズの周囲に取付可能な凸部材と、
前記外付筐体と前記携帯電話との間に設けられる粘着シートと
を備え、
前記外付筐体には、前記凸部材と嵌め合わされる第１凹部が設けられ、
前記粘着シートは、前記凸部材と前記第１凹部とが嵌め合わされた場合に、前記外付筐体と前記携帯電話とを固着する携帯電話用外付ユニット。
【請求項２】
前記外付筐体は、
前記第１凹部が設けられる第１筐体と、
バッテリーを収納する第２筐体と
を有し、
前記粘着シートは、前記第２筐体と前記携帯電話との間に設けられ、前記凸部材と前記第１凹部とが嵌め合わされた場合に、前記第２筐体と前記携帯電話とを固着する請求項１に記載の携帯電話用外付ユニット。
【請求項３】
前記第２筐体には、前記粘着シートを取り付けるべき領域を示す第２凹部が設けられる請求項２に記載の携帯電話用外付ユニット。
【請求項４】
前記第１筐体と前記第２筐体との接続方向において、前記第２筐体は前記第１筐体より長い請求項２又は３に記載の携帯電話用外付ユニット。
【発明の詳細な説明】
【技術分野】
【０００１】
本発明は、携帯電話に装着可能な携帯電話用外付ユニットに関する。
【背景技術】
【０００２】
特許文献１には、望遠レンズ体を携帯電話のカメラレンズ部に取り付けることにより、携帯電話のカメラで拡大画像を撮像することが記載されている。
【０００３】
【特許文献１】特開２００４−２３３７２２号公報
【発明の開示】
【発明が解決しようとする課題】
【０００４】
しかしながら、特許文献１によれば、肌等の被写体を撮影する場合に、望遠レンズ体を被写体に押し付けると、望遠レンズ体とカメラとの接続部分に負荷がかかり、望遠レンズ体が携帯電話から外れてしまい、望遠レンズ体が破損するという虞もある。また、ユーザが望遠レンズ体を付けた携帯電話を持った場合は、望遠レンズ体の重さにより、望遠レンズが装着した携帯電話の重心が変わることにより持ちにくくなり、疲れてしまう。また、重心が変わるので、望遠レンズが装着した携帯電話を持ったときの安定感がない。
【課題を解決するための手段】
【０００５】
上記課題を解決するために、本発明の形態においては、レンズ１５１を備える携帯電話１５０に装着可能な携帯電話用外付ユニットであって、前記レンズへの光を通過する外付筐体１０１と、前記レンズの周囲に取付可能な凸部材１２２と、前記外付筐体１０１と前記携帯電話１５０との間に設けられる粘着シートとを備え、前記外付筐体１０１には、前記凸部材１２２と嵌め合わされる第１凹部１０８が設けられ、前記粘着シートは、前記凸部材１２２と前記第１凹部１０８とが嵌め合わされた場合に、前記外付筐体１０１と前記携帯電話１５０とを固着する。
【０００６】
なお、上記の発明の概要は、本発明の必要な特徴の全てを列挙したものではない。また、これらの特徴群のサブコンビネーションもまた、発明となりうる。
【発明の効果】
【０００７】
本発明によれば、ユーザが携帯電話１５０に装着された外付筐体１０１を持ったときの安定感を向上させることができる。
【発明を実施するための最良の形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、外付筐体１０１と携帯電話１５０とが装着されたときの様子の一例を示す。外付筐体１０１は、携帯電話１５０のレンズに光を透過する開口が設けられている。携帯電話１５０のレンズに光を透過させる開口は、被写体側開口部１０５を有する。なお、被写体側開口部１０５は円形にしているが、矩形であってもよく、多角形であってもよい。外付筐体１０１は、携帯電話１５０と粘着シートで接着されている。電源スイッチ１１３は、外付筐体１０１内にある照射部の照射のＯＮ・ＯＦＦを切り替える。
【００１０】
図２は、外付筐体１０１の断面図の一例を示す。外付筐体１０１は、開口と第１凹部１０８を有する第１筐体１０２と、バッテリー１１４を収納する第２筐体１１１とを備える。つまり、外付筐体１０１は、第１筐体１０２と、該第１筐体１０２と連結して設けられた第２筐体とを有する。第１凹部１０８は、円状に凹んでいる。第１筐体１０２の開口は、携帯電話側開口部１０３と被写体側開口部１０５とを有する。外付筐体１０１の携帯電話側開口部１０３がある面が、携帯電話１５０のカメラのレンズがある面に隣接する。また、携帯電話側開口部１０３は、第１凹部１０８の中に設けられている。携帯電話側開口部１０３は、円形であってもよく、矩形等の多角形であってもよい。なお、外付筐体１０１の携帯電話１５０と隣接する面を下方向、反対側を上方向とする。また、外付筐体１０１の長手方向を横方向、つまり左右方向とする。また、外付筐体１０１の上下方向と左右方向とに直角する方向を幅方向とする。つまり、図２の紙面対して垂直方向を幅方向とする。外付筐体１０１の左右方向の長さは、第１筐体１０２の上下方向の長さより長いことが好ましい。第１筐体１０２と第２筐体１１１との接続方向において、第２筐体１１１は、第１筐体１０２より長いことが好ましい。つまり、第２筐体１１１の左右方向の長さは、第１筐体１０２の左右方向の長さより長いことが好ましい。
【００１１】
また、第１筐体１０２の下の面に、凸部１１０と、第３凹部１０９とが更に設けられている。また、第１凹部１０８の周りに凸部１１０と第３凹部１０９とが設けられている。凸部１１０は、第１凹部１０８と第３凹部１０９との間で形成される。第３凹部１０９は、粘着シートを取り付けるべき領域を示す。第３凹部１０９は、環状、例えば、リング状に凹んでいる。また、凸部１１０は、環状、例えば、リング状に突出している。被写体側開口部１０５は、携帯電話側開口部１０３と対向する面に設けられている。被写体側開口部１０５は、被写体からの光を第１筐体１０２内部へ入射させる。携帯電話側開口部１０３は、被写体側開口部１０５を透過した光を携帯電話１５０のレンズへ導く。
【００１２】
第１筐体１０２は、鏡筒１０４、照射基板１０６、照射部１０７を収納する。鏡筒１０４は、レンズを収納する。鏡筒１０４は、接写レンズ、ズームレンズ等のレンズを収納してよい。鏡筒１０４は、円柱の形状であってよい。鏡筒１０４は、携帯電話側開口部１０３の上に設けられる。この鏡筒１０４の光軸方向に垂直な方向の断面及び鏡筒１０４が収納するレンズの大きさは、携帯電話側開口部１０３のより大きい。また、鏡筒１０４は、携帯電話側開口部１０３及び被写体側開口部１０５を透過する光の光軸上に設けられている。つまり、被写体側開口部１０５を通過した光は、鏡筒１０４を通過して携帯電話側開口部１０３から出る。
【００１３】
照射基板１０６は、照射部１０７を固定するとともに、照射部１０７に電力を供給する。照射基板１０６は、第１筐体の被写体側開口部１０５がある面と平行に設けられている。また、照射基板１０６は、携帯電話側開口部１０３を透過する被写体側開口部１０５から入射した光を遮らないような形状を有する。具体的には、照射基板１０６は、鏡筒１０４が光軸方向に入る大きさの開口を有しており、照射基板１０６の開口に鏡筒１０４の上端が挿入される。照射部１０７は、光を照射する。照射部１０７はＬＥＤ等の発光素子であってもよい。照射部１０７は、被写体側開口部１０５に対して光を照射する。照射部１０７は、第１筐体１０２の被写体側開口部１０５がある面に光を照射してもよい。
【００１４】
第２筐体１１１は、回路基板１１２、電源スイッチ１１３、及びバッテリー１１４を有する。回路基板１１２は電源スイッチ１１３とバッテリー１１４を固定する。また、バッテリー１１４は、照射部１０７に電力を供給する。電源スイッチ１１３は、電源をＯＮとＯＦＦとに切り替える。電源スイッチ１１３がＯＮのときは、バッテリー１１４の電力が回路基板１１２及び照射基板１０６を介して照射部１０７に電力が供給される。また、電源スイッチ１１３がＯＦＦのときは、バッテリー１１４の電力が照射部１０７に供給されない。また、ユーザが電源スイッチ１１３を外付筐体１０１の外から操作できるように、第２筐体１１１の開口から、電源スイッチ１１３の操作部分が飛び出ている。バッテリー１１４は交換可能な電池であってもよく、充電可能な電池であってもよい。第２筐体１１１の携帯電話１５０に装着される面には、粘着シートを取り付けるべき領域を示す第２凹部１１５が設けられている。この第２凹部１１５は、第１筐体１０２の第３凹部１０９まで延びてもよい。つまり、第２凹部１１５は、第２筐体１１１の所定の位置から第１筐体１０２の第３凹部１０９まで設けられてもよい。また、第２凹部１１５は、第３凹部１０９の凹み具合より浅く凹んでいてもよい。
【００１５】
図３は、外付筐体１０１を下から見たときの第１凹部１０８、第２凹部１１５、第３凹部１０９、及び凸部１１０の様子と、第１凹部１０８に嵌め合わされる凸部材１２２及び第３凹部１０９に嵌め合わされる粘着シート１２１との様子の一例を示す。リング状の溝を有する第３凹部１０９の内側に、リング状に突出した凸部１１０がある。また、凸部１１０の内側に、円状に凹んだ第１凹部１０８がある。また、第１凹部１０８の中に携帯電話側開口部１０３がある。また、第３凹部の一部から第２筐体１１１の方へ延びた溝があり、この溝が第２凹部１１５となる。第２凹部１１５の溝の深さは、第３凹部１０９の溝の深さより浅い。
【００１６】
また、凸部材１２２は、リング状の形状を有している。この凸部材１２２は、第１凹部１０８に嵌るような形状、及び大きさを有している。つまり、この凸部材１２２の外径は、凸部１１０の内径と略同一となる大きさを有している。
【００１７】
また、粘着シート１２１は、第３凹部１０９と嵌め合わさるような形状及び大きさを有している。また、この粘着シート１２１の厚みは、第３凹部の溝の深さより厚い。また、第２凹部１１５にも、図示していない粘着シートが取り付けられる。第２凹部１１５の何れかの場所に粘着シートが取り付けられればよい。また、第２凹部１１５に取り付けられる粘着シートの形状、大きさは、第２凹部１１５に嵌る大きさであればどんな形状であってもよい。また、第２凹部１１５のうち、外付筐体１０１の重心となる位置に粘着シートを取り付けてもよい。第２凹部１１５に取り付けられる粘着シートは、第２凹部１１５の溝の深さより厚い。また、第２凹部１１５は、外付筐体１０１の幅の略中心のあることが好ましい。なお、第２凹部１１５は、第２筐体１１１の下の面のみに設けられていてもよい。また、第２凹部１１５は、第２凹部１１５に取り付けられる粘着シートと同じ形状及び大きさの溝であってもよい。また、第２凹部１１５はなくてもよく、単に第２筐体１１１の下の面に粘着シートを取り付けるようにしてもよい。
【００１８】
図４は、外付筐体１０１と、粘着シート１２１と、凸部材１２２との嵌め合わせの様子の断面図を示す。粘着シート１２１は、第３凹部１０９と嵌め合わされる。また、凸部材１２２は、第１凹部１０８と嵌め合わされる。つまり、凸部材１２２は、携帯電話１５０のレンズ１５１がある面であり、且つ、レンズ１５１の周りに取り付けられる。即ち、凸部材１２２の中心にレンズ１５１が合わさるように、凸部材１２２を携帯電話１５０に取り付ける。ここで、凸部と同じ大きさ、形状を有する粘着シート１２３を凸部材１２２に張ることにより、凸部材１２２と携帯電話１５０を接着することができる。また、図示しないが第２凹部１１５に粘着シートが取り付けられる。ここで、携帯電話側開口部１０３の長さＲは、凸部材１２２の内径ｒ以下の長さを有することが好ましい。携帯電話側開口部１０３が円形の場合は、長さＲは直径となり、携帯電話側開口部１０３が多角形の場合は、長さＲが対角線の長さとなる。また、携帯電話１５０のレンズ１５１の径Ｓは、凸部の内径ｒ及び携帯電話側開口部１０３の長さＲ以下の長さを有することが好ましい。これにより、携帯電話側開口部１０３を通過する光を確実に携帯電話のレンズ１５１に導くことができる。撮像素子１５２は、レンズ１５１を透過した光を撮像する。
【００１９】
図５は、外付筐体１０１と携帯電話１５０とが接着したときの断面図の様子を示す。また、Ａは、点線で示した領域の拡大図を示す。外付筐体１０１の第１凹部１０８と携帯電話１５０に取り付けられた凸部材１２２とを嵌め合わさるように外付筐体１０１を携帯電話１５０に接触させれば、粘着シート１２１と第２凹部１１５に取り付けられた粘着シート１２５は、携帯電話１５０と外付筐体１０１とを固着することができる。また、外付筐体１０１の鏡筒１０４の光軸と、携帯電話１５０の光軸とを簡単に略一致させることができる。なお、第３凹部１０９に取り付けた粘着シート１２１と、第２凹部１１５に取り付けた粘着シート１２５との外付筐体１０１からの突出具合が略同じになるように、粘着シート１２１と粘着シート１２５の厚みを調整することが好ましい。これにより、外付筐体１０１と携帯電話１５０とを強く接着させることができる。また、外付筐体１０１の左右方向の長さは、外付筐体１０１が装着される携帯電話１５０の面の長手方向の長さより長い方が好ましい。また、外付筐体１０１の幅は、携帯電話１５０の幅と略等しいことが好ましい。この外付筐体１０１、凸部１１０と、粘着シート１２１、及び粘着シート１２５とにより、携帯電話１５０に装着可能な携帯電話用外付ユニットとして機能する。
【００２０】
そして、外付筐体１０１と携帯電話１５０とを装着すると、ユーザは電源スイッチ１１３を操作することにより電源をＯＮにする。すると、バッテリー１１４の電力が照射部１０７に供給され、照射部１０７は光を照射する。そして、ユーザは、被写体側開口部１０５がある面を肌に押し付けた状態で、携帯電話１５０の撮像素子１５２が撮像すると、被写体側開口部１０５内にある肌を撮像することができる。
【００２１】
このように、携帯電話側開口部１０３、鏡筒１０４、及び被写体側開口部１０５からなる外付筐体１０１の光軸を、第１凹部１０８の中心に設け、第１凹部１０８と嵌め合わさる凸部材１２２を携帯電話１５０のレンズ１５１の周りに取り付けることで、外付筐体１０１の光軸と携帯電話１５０のレンズ１５１の光軸を簡単に略一致させることができる。
【００２２】
また、外付筐体１０１と携帯電話１５０との間に粘着シートを設けることで簡単に外付筐体１０１を携帯電話１５０に装着することができる。また、第１筐体１０２と第２筐体１１１との接続方向において、第２筐体１１１を第１筐体１０２より長くすることで、被写体側開口部１０５に肌を押し付けても、外付筐体１０１がブレたり、携帯電話１５０から外れたりすることがなく、装着したときの安定性を向上させることができる。外付筐体１０１の左右方向の長さを、外付筐体１０１が装着される携帯電話１５０の面の長手方向の長さより長いので、持ちやすくなり、安定感があり、携帯電話１５０の操作が簡単になる。外付筐体１０１を携帯電話１５０に装着したときの安定性を向上させることができる。外付筐体１０１の左右方向の長さを、外付筐体１０１が装着される携帯電話１５０の面の長手方向の長さより長いので、外付筐体１０１に、携帯電話１５０を装着させる感じになり、外付筐体１０１を携帯電話１５０に装着しても持ちやすい。
【００２３】
また、第１凹部１０８を円状に、凸部材１２２を環状にすることにより、外付筐体１０１と携帯電話１５０とを装着させる角度を自由に変えることができる。つまり、装着させるときの外付筐体１０１の方向と携帯電話１５０の方向とを自由に変えることができる。例えば、第１凹部１０８と凸部材１２２が四角形の場合は、外付筐体１０１と携帯電話１５０とを装着させる方向は、互いに平行か若しくは垂直となる方向しかないが、円形にすることにより自由度を上げることができる。これにより、レンズ１５１が携帯電話１５０の幅の中心にない場合でも、外付筐体１０１の光軸と携帯電話１５０の光軸とを一致させて装着することができる。また、外付筐体１０１の下の面と、携帯電話１５０のレンズ１５１がある面とが重なる領域に粘着シート１２５を設けることで、外付筐体１０１と携帯電話１５０とを固着させることができる。なお、この外付筐体１０１の方向とは、外付筐体１０１の長手方向が向く方向のことをいう。また、携帯電話１５０の方向とは、外付筐体１０１が装着される携帯電話１５０の面の長手方向が向く方向のことをいう。
【００２４】
なお、第２筐体１１１の携帯電話１５０と隣接する面のうち、バッテリー１１４の下に粘着シート１２５を取り付けるようにしてもよい。また、第２凹部１１５をバッテリー１１４の下に設けるようにしてもよい。また、粘着シートは熱を吸収する素材であってもよい。バッテリー１１４の下に熱を吸収する粘着シート１２５を設けることにより、バッテリー１１４と携帯電話１５０との熱伝導を低減させることができる。
【００２５】
上記実施の形態は、以下のように変形してもよい。
（１）実施の形態では、第３凹部１０９を設けるようにしたが第３凹部１０９を設けなくてもよい。この場合、凸部１１０も無くなることになる。この場合は、単に、第１凹部１０８の回りに粘着シート１２１を貼り付けるようにしてもよく、第１凹部１０８の周りに粘着シート１２１を貼り付けなくてもよい。
【００２６】
（２）実施の形態では、凸部材１２２は、リング状の形状でなくてもよい。例えば、リングの１部が切り抜かれた環状の形状であってもよい。つまり、棒を環状に丸め、始点と終点とが接続されていない形状であってもよい。また、凸部材１２２は、円形ではなく多角形の形状を有していてもよい。この場合も、凸部材１２２は、携帯電話側開口部１０３から通過した光を、レンズ１５１に入射させるように、中央が円形若しくは多角形で刳り貫かれた形状を有する。また、第１凹部１０８は、凸部材１２２と嵌め合わさるような形状及び大きさを有する。
【００２７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２８】
【図１】外付筐体１０１と携帯電話１５０とが装着したときの様子の一例を示す。
【図２】外付筐体１０１の断面図の一例を示す。
【図３】外付筐体１０１を下から見たときの第１凹部１０８、第２凹部１１５、第３凹部１０９、及び凸部１１０の様子と、第１凹部１０８に嵌め合わされる凸部材１２２及び第３凹部１０９に嵌め合わされる粘着シート１２１の様子の一例を示す。
【図４】外付筐体１０１と、粘着シート１２１と、凸部材１２２との嵌め合わせの様子の一例を示す。
【図５】外付筐体１０１と携帯電話１５０とが接着したときの様子を示す。
【符号の説明】
【００２９】
１０１      外付筐体
１０２      第１筐体
１０３      携帯電話側開口部
１０４      鏡筒
１０５      被写体側開口部
１０６      照射基板
１０７      照射部
１０８      第１凹部
１０９      第３凹部
１１０      凸部
１１１      第２筐体
１１２      回路基板
１１３      電源スイッチ
１１４      バッテリー
１１５      第２凹部
１２１      粘着シート
１２２      凸部材
１２３      粘着シート
１２５      粘着シート
１５０      携帯電話
１５１      レンズ
１５２      撮像素子
【図１】
2010161545.tif 000003
【図２】
2010161545.tif 000004
【図３】
2010161545.tif 000005
【図４】
2010161545.tif 000006
【図５】
2010161545.tif 000007